(57)【要約】      （修正有）【課題】取扱性がよく、収納時のスペースも小さく、開放時にはピラミット体を形成する蠅帳型ピラミット体を提供する。【解決手段】往復動する中心軸２ａが案内されるブラケット２ｂにその先端部を枢支され上面から見た状態で互いに直交して配置され前記ピラミットの稜線に対応する線体状の４本の棒体３と、前記中心軸と前記棒体との間に架設されその端部を前記中心軸と棒体３とに枢支される開閉用ロッド４とからなり、前記棒体は開放状態で下方に向かって傾斜して前記ピラミットの稜線に相当する形態を形成する。隣設する前記棒体間には伸縮自在の材質の膜体を架設する。【選択図】図１
0003154254.tif 000002
【実用新案登録請求の範囲】
【請求項１】
蠅帳の如く開閉され、開放状態でピラミットの外観を形成する蠅帳型ピラミット体であって、該ピラミット体は、往復動する中心軸が案内されるブラケットにその先端部を枢支され上面から見た状態で互いに直交して配置され前記ピラミットの稜線に対応する線体状の４本の棒体と、前記中心軸と前記棒体との間に架設されその端部を前記中心軸と棒体とに枢支される開閉用ロッドとからなり、前記棒体は開放状態で角度θ／２で下方に向かって傾斜して前記ピラミットの稜線に相当する形態を形成するものからなることを特徴とする蠅帳型ピラミット体。
【請求項２】
隣設する前記棒体間には伸縮自在の材質の膜体が架設されることを特徴とする請求項１に記載の蠅帳型ピラミット体。
【考案の詳細な説明】
【技術分野】
【０００１】
本考案は、ピラミットの稜線に相当する４本の棒体からなるピラミット体に係り、特に、この棒体が蠅帳の如く開閉自在に形成されてなる蠅帳型ピラミット体に関する。
【背景技術】
【０００２】
最近では少なくなったが、昔の食事には食物を蝿等から保護するために蠅帳が使用されていた。この蠅帳は開閉自在の構造からなり、不使用時には折り畳み込むことができるため保管スペースが極めて小さくてすみ便利さがあり、かつ開放時には裾広がりに大きく展開するため多くの食物を覆うことができるメリットがあった。この蠅帳のような機構を用いた従来技術としては例えば「特許文献１」や「特許文献２」が挙げられる。
【先行技術文献】
【特許文献】
【０００３】
【特許文献１】特開２００７−３０７２４８号（図１）
【特許文献２】登録実用新案第３１３６１６６号（図１）
【考案の概要】
【考案が解決しようとする課題】
【０００４】
「特許文献１」や「特許文献２」は蠅帳構造を利用したものであるがその発明及び考案の目的は後に説明する本考案とは相違するものである。
一方、ピラミットはその不思議性から世界遺産の重要な遺物として尊重され、世界中に広く知られている。また、この形態を利用したものが数多く存在している。このピラミットに似ている形態のピラミット体を簡単に、かつ安価に作成することは多くの人々が要請しているものであり、色々の形態のものが存在しているが、本考案のように蠅帳式の構造を利用したものは見当らない。
【０００５】
本考案は、以上の事情に鑑みて考案したものであり、蠅帳構造を利用し開放時にはピラミットの外観形状に近似する形態を形成すると共に閉時において小スペースに収納可能な蠅帳型ピラミット体を提供することを目的とする。
【課題を解決するための手段】
【０００６】
本考案は、以上の目的を達成するために、請求項１の考案は、蠅帳の如く開閉され、開放状態でピラミットの外観を形成する蠅帳型ピラミット体であって、該ピラミット体は、往復動する中心軸が案内されるブラケットにその先端部を枢支され上面から見た状態で互いに直交して配置され前記ピラミットの稜線に対応する線体状の４本の棒体と、前記中心軸と前記棒体との間に架設されその端部を前記中心軸と棒体とに枢支される開閉用ロッドとからなり、前記棒体は開放状態で角度θ／２で下方に向かって傾斜して前記ピラミットの稜線に相当する形態を形成するものからなることを特徴とする。
【０００７】
また、請求項２の考案は、隣設する前記棒体間には伸縮自在の材質の膜体が架設されることを特徴とする。
【考案の効果】
【０００８】
本考案の請求項１の蠅帳型ピラミット体によれば、このピラミット体は蠅帳型の形態からなり、蠅帳の如く自由に開閉される。開放時においては４本の棒体がピラミットの稜線に相当する形態となりピラミットの外観を形成する。また、閉止には小さく折り畳まれ、小スペースに収納できるメリットがある。
【０００９】
また、本考案の請求項２の蠅帳型ピラミット体によれば、隣接する棒体間に膜体を架設することにより蠅等の毒虫の侵入を防止することができる。
【図面の簡単な説明】
【００１０】
【図１】本考案の蠅帳型ピラミット体の全体構造を示す断面図。
【図２】図１の上面図。
【図３】本考案の蠅帳型ピラミット体における蠅帳構造の詳細を示す拡大一部軸断面図。
【図４】本考案の蠅帳型ピラミット体の開閉状態を示す模式的断面図（（ａ）は開放時で（ｂ）は閉止時を示す）。
【図５】膜体を有する本考案の蠅帳型ピラミット体を示す模式的正面図（ａ）及び（ａ）の上面図（ｂ）。
【考案を実施するための形態】
【００１１】
以下、本考案の蠅帳型ピラミット体の実施の形態を図面を参照して詳述する。
【実施例１】
【００１２】
図１は本考案の蠅帳型ピラミット体１の全体構造を示す断面図である。まず、蠅帳型ピラミット体１００は蠅帳の如く開閉する開閉構造部２と、これに係合する棒体（４本）３と、開閉構造部２と棒体３とに架設される開閉用ロッド４等とからなる。
【００１３】
開閉構造部２は中心軸２ａとこれを往復自在に保持するブラケット２ｂとからなる。なお、中心軸２ａとブラケット２ｂとの間には開放時における開放位置決めのためのストッパ５が設けられているがその構造説明は省略する。
【００１４】
棒体３はピラミットの稜線に相当するもので前記のように４本からなり、図に示すように上部から見ると互いに直交して配置されると共に図１に示すように開放時には角度θ／２で下方に向かって傾斜する形態のものからなる。棒体３の上部は図１乃至図３に示すようにブラケット２ｂに枢支される。
一方、中心軸２ａの下方と棒体３との間には開閉用ロッド４が架設され、この開閉用ロッド４は中心軸２ａ及び棒体３の双方に端部を枢支される。
以上のように蠅帳型ピラミット体１の棒体３は中心軸２ａを往復動することにより開閉し、開放時にはピラミットの稜線に対応する形態となりピラミットに近似するピラミット体が形成されることになる。
図４（ａ）は棒体３の開放時を示し図４（ｂ）は棒体３の閉止時の状態を夫々示すものである。
【実施例２】
【００１５】
図５（ａ），（ｂ）は本考案の蠅帳型ピラミット体の別の実施例を示すものである。この蠅帳型ピラミット体１Ａは全体構造としては実施例１のものと同一であるが、図５（ａ），（ｂ）に示すように隣接する棒体３，３間に膜体６が架設される点において相違する。この膜体６は任意のものでよいが、棒体３の開閉に追従することが必要であり、伸縮自在の構造、例えば、網状のものが採用される。勿論、その他のものでもよい。
【００１６】
本考案の蠅帳型ピラミット体は以上の構造のものからなり、取扱性がよく、コンパクトにまとめられるメリットを有するものからなる。なお、本考案の内容は前記の内容に限定するものではなく、同一技術範疇のものが適用されることは勿論である。
【産業上の利用可能性】
【００１７】
本考案は、基本的構造が蠅帳型のものからなるがその詳細構造においては色々の形態のものに応用され、その大きさも自由であり、利用範囲もピラミット体としての存在に限定するものではなく、通常の蠅帳の用途を兼ねることもできるためその利用範囲は極めて広い。
【符号の説明】
【００１８】
１    蠅帳型ピラミット体
２    開閉構造部
２ａ  中心軸
２ｂ  ブラケット
３    棒体
４    開閉用ロッド
５    ストッパ
６    膜体
【図１】
0003154254.tif 000003
【図２】
0003154254.tif 000004
【図３】
0003154254.tif 000005
【図４】
0003154254.tif 000006
【図５】
0003154254.tif 000007